(57)【要約】      （修正有）【課題】頭部四方位や上半身等の着衣状態も自然な形状で視認可能な人物用多面鏡の提供。【解決手段】０〜１０度上向きに傾斜している方形の鏡面１と、それに対向して２０〜２５度下向きに傾斜している等脚台形の鏡面２の両側に平行四辺形の鏡面３が角度１１０〜１６０度をなし隣接している三面鏡とからなり、平行四辺形の鏡面３は台形の鏡面２の斜辺と同長な一辺とその長さの８５〜１００％の他辺が８０度台の角度をなしておればよい。なお、平行四辺形の鏡面３が台形の鏡面２の斜辺と同長な一辺と、その長さの８７％の他辺が８５度をなしており、台形の鏡面２に対し、それぞれ角度１１０〜１３０度で隣接していると好適であり、とくに、平行四辺形の鏡面３が台形の鏡面２の斜辺と同長な一辺と、その長さの９９．２％の長さの他辺が８２度をなしており、台形の鏡面２に対し、それぞれ角度１４０〜１６０度で隣接していると最好適である。【選択図】図１
0003115808.tif 000002
【実用新案登録請求の範囲】
【請求項１】
０〜１０度の角度で上向きに傾斜している方形の鏡面（１）と、それに対向して２０〜２５度の角度で下向きに傾斜している等脚台形の鏡面（２）を中心にしてその両側に平行四辺形の鏡面（３）が隣接している三面鏡とからなり、平行四辺形の鏡面（３）が台形の鏡面（２）の斜辺と同長な一辺と、その長さの８５〜１００％の他辺が８０度台の角度をなしているものからなり、台形の鏡面（２）の両側に１１０〜１６０度の角度をなして隣接していることを特徴とする人物用多面鏡。
【請求項２】
平行四辺形の鏡面（３）が台形の鏡面（２）の斜辺と同長な一辺と、その長さの８７％の他辺が８５度の角度をなしているものからなり、台形の鏡面（２）に対し、それぞれ１１０〜１３０度の角度で隣接している請求項１記載の人物用多面鏡。
【請求項３】
平行四辺形の鏡面（３）が台形の鏡面（２）の斜辺と同長な一辺と、その長さの９９．２％の長さの他辺が８２度の角度をなしているものからなり、台形の鏡面（２）に対し、それぞれ１４０〜１６０度の角度で隣接している請求項１記載の人物用多面鏡。
【請求項４】
三面鏡が所定形状に成形した一枚のガラス板の鏡面からなる請求項１、２又は３記載の人物用多面鏡。
【考案の詳細な説明】
【技術分野】
【０００１】
本考案は人物用の多面鏡に関する。
【背景技術】
【０００２】
従来、頭部の背面や側面を見るため、補助の手鏡を使用したり、市販の三面鏡が使用されているが、形状が歪み、限られた範囲しか視認できず、満足すべきものではない。
【０００３】
従来、工夫されたものとして、特許文献１には姿見に着衣の背面を向け、前面に小型鏡面を目線の高さに保持して背面のみが写るようにしたものや、後頭部辺のみが写るようにしたものもあるが、それだけでは足りず、また、上下方向の三面鏡の下面の鏡で頭頂部を見るようにした特許文献２もあるが、下面の鏡面に人体を載せるので、破損のおそれがあり、また頭頂部を見る要望が一般的なものか否かにも疑問がある。
【特許文献１】公開実用新案昭６３−１１５３７０
【特許文献２】実開平７−２８４６７
【考案の開示】
【考案が解決しようとする課題】
【０００４】
本考案は簡単な構成で顔面は勿論、横顔、後頭部等を自然な形状で視認可能な人物用多面鏡を提供せんとするものである。
【課題を解決するための手段】
【０００５】
ここにおいて本考案者は０〜１０度の角度で上向きに傾斜している方形の鏡面（１）と、それに対向して２０〜２５度の角度で下向きに傾斜している等脚台形の鏡面（２）を中心にしてその両側に平行四辺形の鏡面（３）が隣接している三面鏡とからなり、平行四辺形の鏡面（３）が台形の鏡面（２）の斜辺と同長な一辺と、その長さの８５〜１００％の他辺が８０度台の角度をなしているものからなり、台形の鏡面（２）の両側に１１０〜１６０度の角度をなして隣接している人物用多面鏡を見出し、さらに、この人物用多面鏡において平行四辺形の鏡面（３）が台形の鏡面（２）の斜辺と同長な一辺と、その長さの８７％の他辺が８５度をなしているものからなり、台形の鏡面（２）に対し、それぞれ１１０〜１３０度の角度で隣接していると好適であり、とくに、平行四辺形の鏡面（３）が台形の鏡面（２）の斜辺と同長な一辺と、その長さの９９．２％の長さの他辺が８２度の角度をなしているものからなり、台形の鏡面（２）に対し、それぞれ１４０〜１６０度の角度で隣接していると最好適であり、かつ三面鏡が一枚のガラス板を上述の形状に成形した鏡面からなる場合に甚だ好都合であることを見出すにいたった。
【考案の効果】
【０００６】
本考案の人物用多面鏡は製作が容易なうえ、設備さえととのえば顔は勿論、横顔、後頭部のほか、うなじや肩周辺、背中までも自然な形状で見ることができる。なお、鏡面をやや大きくすれば上半身や全身の着衣状態までも好みの角度で見ることができ便利であるから、家庭用のほか、理髪店や美容院、芸能人楽屋、レストラン・ホテル・オフィスの洗面所等においても広く用いられることが予想される。
【考案を実施するための最良の形態】
【０００７】
本考案の人物用多面鏡の鏡面は鏡面仕上げのガラスや金属板（研磨ステンレス・アルミニウム、反射薄膜被覆プラスチック）等を素材とし、鏡面を枠に嵌め、枠の高さと角度とを所定位置に設ければよい。正面の傾斜せる鏡面１に関しては壁立て式で適宜大きさのものを選択し、これに対向する逆傾斜せる中央の鏡面２とこれを囲む両側の平行四辺形の鏡面３に関しては台付き床置き方式か天井収納方式等をとるのが好ましい。
【０００８】
本考案の人物用多面鏡の三面鏡に関しては予め、所定角度に折り曲げてあるアルミニウム等の金属板やポリカーボネート等の合成樹脂板に鏡面を貼り付けたものを使用者の使用位置に合わせて所定位置に固定するようにしてもよい。  固定方法には、壁面に埋める方法や不使用時は収納しておき、使用時のみ移動器具を介して設定する方法がある。
【０００９】
なお、三面鏡に関しては、上述で予め所定形状で所定角度に折り曲げてある板状体に鏡面を貼り付ける方法のあることを提案したが、予め所定形状で所定角度に折り曲げてある板状体を鏡面に仕上げる方法も存在し得る。すなわち、板状体として厚さ４〜５ｍｍ程度のガラス板の採用が可能で、所定角度に折り曲げる熱処理を施せば、成形が可能であるから、鏡面に加工することは容易であり、所定形状で所定角度に折り曲げてある他材質による補強板に貼り付ければ実用化することが可能である。その場合、三面鏡におけるガラスのつなぎ面が消失しているので、使用時の違和感を解消することができて甚だ好都合である。
【００１０】
なお、自動車の助手席等において、本考案の人物用多面鏡を小型にしたものをセットすることも可能である。
【実施例１】
【００１１】
頭部用の好適例として、諸条件を表１にあげておくので、図１を参照されたい。なお、ここで三面鏡は予め所定角度に折り曲げてあるアルミニウム板に鏡面を貼り付けたものを使用し、天井吊り下げ固定式方式にしてある。
【００１２】
【表１】
0003115808.tif 000003
【産業上の利用可能性】
【００１３】
本考案の人物用多面鏡は家庭用のほか、理髪店、美容院、芸能人楽屋、レストラン・ホテル・オフィスの洗面所等においても広く用いられることが充分予想されるので、設備の製作で産業の活性化に貢献するものと思われる。
【図面の簡単な説明】
【００１４】
【図１】本考案の実施例による人物用多面鏡の配置説明図である。
【符号の説明】
【００１５】
１  方形の鏡面
２  台形の鏡面
３  平行四辺形の鏡面
【図１】
0003115808.tif 000004